(57)【特許請求の範囲】
【請求項１】
鈴に鈴座布団を介して柄を取り付けた引磬と、鈴を打ち鳴らす鈴棒としての小桴とからなり、引磬の柄の中心に小桴を出し入れする挿入孔を設け、挿入孔に納めた小桴の脱出を止め得るように、柄には挿入孔の上端部で永久磁石を内蔵し、小桴の上端が、鉄などの強磁性体で形成され、その強磁性体で磁石に吸着されるように構成したことを特徴とする小桴を備えた引磬。
【請求項２】
小桴の打撃軸を鉄などの強磁性体で形成するとともに、ゴムなどの緩衝材で外周面を被覆したことを特徴とする請求項１記載の小桴を備えた引磬。
【請求項３】
握り部と座布団を受ける上座部とに柄を分割して形成するとともに、握り部の上端に挿入孔が同軸に開拡するホゾ孔を設け、上座部の下端にはそれに嵌入されるホゾを形成し、ホゾとホゾ孔の下端間に磁石が内蔵される空間を設けたことを特徴とする請求項２記載の小桴を備えた引磬。
【発明の詳細な説明】
【０００１】
【発明の属する技術分野】
この発明は、読経の際に打ち鳴らして使用される小桴を備えた引磬に関する。
【０００２】
引磬は、立った姿勢などで読経をする際に打ち鳴らすために、椀状の鈴（小鐘）に柄を取り付けたもので、打ち叩く鈴棒に相当するものを小桴と称される。古くは、京都・平等院鳳凰堂長押上の雲中供養菩薩（平安時代）の持物にみられ、また、「北野天神演技絵巻」（鎌倉時代）の中にもみられることから古くから使用され、これを新仏教でも取り入れられたもので、各宗において用いられる。
【０００３】
小桴を備えた引磬とは、鈴棒を備えた柄付鈴ということができる。従来の引磬は、鈴の下に鈴座布団を介して柄を取り付けたもので、小桴は必須のものであるので、一般的に鎖や紐により柄に取り付けられていた。
【０００４】
【発明が解決しようとする課題】
上記のような従来の小桴を備えた引磬によると、左手に引磬を持ち、右手で小桴を持って打ち叩いて使用されるが、読経中であっても引磬を打ち鳴らすのにしばらく間があるときや、あるいは中断するときには、小桴を持っている右手を片手拝みや経文開きなどの他の動作に使用するために、引磬の柄を握っている左手に小桴を持ちかえることがあったが、このような場合には、左手に引磬と小桴との両方を妙に持つ不自然さがあり、また、読経の姿勢から見て体裁も良くなかった。
【０００５】
また、鈴の柄に鎖や紐により小桴が付属していたので、小桴が紛失する不都合が防止されたが、小箱などに仕舞っておく際には小桴を横に並べて同時に納めるのに不都合であり、引磬の柄に揃えて保持するために、鎖または紐を柄に巻き付けるなどの手数を要していた。
【０００６】
この発明は、上記のような実情に鑑みて、柄に小桴が納まって保持されるために、読経中に右手から小桴を放したとき、柄と一体化させて不都合なく柄を手元確実に握ることができ、また、具合いよく仕舞っておくこともできる小桴を備えた引磬を提供することを目的とした。
【０００７】
【課題を解決するための手段】
上記の目的を達成するために、この発明は、鈴に鈴座布団を介して柄を取り付けた引磬と、鈴を打ち鳴らす鈴棒としての小桴とからなり、引磬の柄の中心に小桴を出し入れする挿入孔を設け、挿入孔に納めた小桴の脱出を止め得るように、柄には挿入孔の上端部で永久磁石を内蔵し、小桴の上端が、鉄などの強磁性体で形成され、その強磁性体で磁石に吸着されるように構成したことを特徴とする小桴を備えた引磬を提供するものである。
【０００８】
【作用】
小桴を備えた引磬を上記のように構成したから、引磬の鈴を小桴で打ち鳴らして使用するものであるが、打ち鳴らすまでの間に、小桴を持つ右手を他の動作に使うときには、小桴を柄の挿入孔に差し込んでおく。また、仕舞うときにも同様にして具合良く柄の中に一体にして収納しておくことができる。
【０００９】
また、引磬の柄に挿入孔を設け、その中に小桴を差し込んで保持し得るようにしてあるが、その保持手段は、永久磁石を内蔵し、その吸着により小桴の脱出を防止するようにしてある。従って、簡単に出し入れができ、取り扱いに非常に好都合である。
【００１０】
さらに、小桴は真鍮製の持手軸に鉄製の打撃軸を直列に連結したもので、打撃軸にゴム管又はプラスチック管等の緩衝材を被着し（請求項２）、上端に磁石に吸着する打撃軸の鉄面が露出している。この緩衝材のために、打撃軸の錆が防止され、また、挿入孔への出入れの際に適度な摩擦抵抗が得られ、さらに、鈴を打ち鳴らした音がきつくなく、快音に長く引いて遠く響くという優れた効果がある。
【００１１】
【発明の実施の形態】
この発明は、引磬１の柄５に挿入孔７を設け、その中に小桴２を差し込んで保持し得るようにしたものであるが、その保持手段は、永久磁石９を内蔵し、その吸着により小桴２の脱出を防止するようにしてある。その場合、磁石９の吸着に抗して引き出す操作となるが、簡単に出し入れできるので、取り扱いに非常に好都合である
【００１２】
柄５に磁石９を内蔵する仕方も様々となりうるが、柄５を分割して（請求項３）、ホゾ２９とホゾ孔２７の下端との間に空間３１を設けると、後記実施例にも示す通り、引磬１の組立てとの関係からも合理的に磁石９を納めることができる。なお、従来、柄５に小桴２を取り付けるために用いていた鎖や紐３は必ずしも要しない。
【００１３】
【発明の効果】
以上説明したように、この発明の小桴を備えた引磬によれば、柄に小桴が納まって出し入れ可能に保持されるために、小桴を使用しないときに右手からそれを放しても、柄に納めて一体化することによって、左手で引磬の柄を手元確実に握ることができ、また、具合いよく仕舞っておくこともできる。
【００１４】
また、引磬の柄に挿入孔を設け、その中に小桴を差し込んで保持し得るようにしてあるが、その保持手段は、永久磁石を内蔵し、その吸着により小桴の脱出を防止するようにしてある。従って、簡単に出し入れができ、取り扱いに非常に好都合である。
【００１５】
さらに、小桴は真鍮製の持手軸に鉄製の打撃軸を直列に連結したもので、打撃軸にゴム管又はプラスチック管等の緩衝材を被着し（請求項２）、上端に磁石に吸着する打撃軸の鉄面が露出している。この緩衝材のために、打撃軸の錆が防止され、また、挿入孔への出入れの際に適度な摩擦抵抗が得られ、さらに、鈴を打ち鳴らした音がきつくなく、快音に長く引いて遠く響くという優れた効果がある。
【００１６】
【実施例】
次に、この発明を実施例の図面に基づいて具体的に説明するが、この実施例を記載したことにこの発明が限定されるものではないことは言うまでもない。
【００１７】
図面は一実施例を示したもので、引磬１に小桴２が数珠状の紐３により取り付けられ、引磬１の柄５には中心に小桴２の挿入孔７が形成され、その上端部に小桴２を吸引する永久磁石９が内蔵される。
【００１８】
引磬１は、鈴１１に鈴座布団１３を介して柄５を取り付けるために、連結軸１５が用いられ、その下端を柄５の中に掛止し、上端を鈴１１の中心に通してナット１９でネジ止めてある。そして、連結軸１５を柄５の中に掛止する構造において磁石９が内装され、その構造について、柄５は、握り部２１と、上端に鈴座布団１３を受ける上座部２３とに分割して形成するとともに、一体に連結される。
【００１９】
柄５のうちの握り部２１は、比較的下の位置で握りやすく上端部を太鼓状にやや膨出して形成され、小径となる上端外周に環状突部２５を設けてあって、中心に前記挿入孔７を有するが、上端部にその挿入孔７が同心に拡大するホゾ孔２７が形成される。また、上座部２３は、下端にそのホゾ孔２７に嵌入するホゾ２９を形成したもので、中心に前記連結軸１５を通す細い軸孔２９が設けられる。
【００２０】
磁石９を内蔵するために、ホゾ孔２７の深さに対してホゾ２９を短く形成することにより、ホゾ孔２７の底部に空間３１を設け、磁石９を位置決めするために、ホゾ２９の下端にそれを接着してある。この接着のために、磁石９には上面に粘着剤３３を塗布して剥離紙３４が粘着されるものが使用される。
【００２１】
また、連結軸１５の下端の掛止については、ホゾ２９の下端に軸孔２９が拡張する凹部３７が設けられ、そこに掛かるように連結軸１５の下端にナット２０が螺着される。したがって、磁石９は凹部３７の周囲においてホゾ２９の下面に接着される。組み立てるときには、磁石９をこうして取り付けたホゾ２９をホゾ孔２７に嵌入し抜けないように接着される。図２が組み立てた状態を示し、図３は挿入孔７に差し込んだ小桴２が磁石９に吸着された状態を示す。
【００２２】
小桴２は、真鍮製の持手軸３２に鉄製の打撃軸３３を直列に連結したもので、打撃軸３３にゴム管又はプラスチック管等の緩衝材３５を被着し、上端に磁石９に吸着する打撃軸３３の鉄面が露出している。この緩衝材３５のために、打撃軸３３の錆が防止され、また、挿入孔７への出入れの際に適度な摩擦抵抗が得られ、さらに、鈴１１を打ち鳴らした音がきつくなく快音に長く引いて遠く響く。なお、引磬１の「引」とは、音が長く引くという意味があるとされる。
【００２３】
持手軸３２と打撃軸３３との連結については、持手軸３２の上端に細い雄ねじ３７を突設し、打撃軸３３にはそれが螺入される雌ねじ３９が形成され、持手軸３１と打撃軸３３との間に化粧部材４１を介在してネジで締めつけられる。
【図面の簡単な説明】
【図１】この発明の小桴を備えた引磬を示す分解斜視図である。
【図２】同引磬を組み立てた状態を示す断面図である。
【図３】同引磬に小桴を納めた状態を示した断面図である。
【符号の説明】
１  引磬
２  小桴
３  紐
５  柄
７  挿入孔
９  小桴２の保持手段に用いられる磁石
１１  鈴
１３  鈴座布団
２１  握り部
２３  上座部
２７  ホゾ孔
２９  ホゾ
３１  空間
３３  小桴２の保持手段に用いられる打撃軸
３５  緩衝材
【図１】
0003597526.tif 000002
【図２】
0003597526.tif 000003
【図３】
0003597526.tif 000004